(57)【要約】咬合異常を治療する、歯科器具、システム及び方法を提供する。歯科器具は、ユーザの上歯及び下歯をそれぞれ収容する上部シェル（１０）及び下部シェル（１２）を有する。また、上部シェル（１０）及び下部シェル（１２）は、例えば、留め金（１４ａ、１４ｂ、１４ｃ）、マグネット（４２）などの固定装置によって取り付けられる。上部シェル（１０）及び下部シェル（１２）を取り付けることによって、歯科器具は、例えば、オーバージェットやオーバーバイトなどの咬合異常を治療することができる。上部シェル（１０）及び下部シェル（１２）は、それぞれ硬い材料及び柔らかい材料から構成される。一実施形態では、上部シェル（１０）及び下部シェル（１２）は、例えば、バネ（７６）やヒンジ部（２０）で連結される。
2005527321.tif 000002
【特許請求の範囲】
【請求項１】
ユーザの歯の幅よりも大きい幅を有し、周辺部を有する第１の基部を備える一般にＵ字形の上部シェルであって、該第１の基部が前記上部シェルの前記周辺部に沿って延伸する壁と、前記第１の基部から延伸する雄部とを有する、前記上部シェルと、
ユーザの歯の幅よりも大きい幅を有し、周辺部を有する第２の基部を備える一般にＵ字形の下部シェルであって、該第２の基部が前記下部シェルの前記周辺部に沿って延伸する壁を有し、前記下部シェルが、前記雄部を収容する大きさの雌部を有し、前記雄部と前記雌部が前記上部シェルに対して前記下部シェルを取り外し可能に固定するよう連結される、前記下部シェルと、
を備えることを特徴とする歯科器具。
【請求項２】
前記ユーザの個々の歯に相関する形状の、前記上部シェル内の複数のソケットを更に備える請求項１に記載の歯科器具。
【請求項３】
前記歯科器具の周辺部から延伸する舌タブを更に備える請求項１に記載の歯科器具。
【請求項４】
前記ユーザの少なくとも２本の歯を収容する大きさの、前記第１の着部内のソケットを更に備える請求項１に記載の歯科器具。
【請求項５】
前記壁内に複数の穴を更に備える請求項１に記載の歯科器具。
【請求項６】
前記上部シェルの周辺部に沿って一体的に形成される保護部を更に備える請求項１に記載の歯科器具。
【請求項７】
ユーザの口腔内の歯に隣接して装着される歯科器具であって、
基部を有する一般にＵ字形のシェルであって、該シェルの第１の領域が第１の材料から構成され、該シェルの第２の領域が第２の材料から構成され、前記第１の材料が前記第２の材料よりも軟らかい、前記シェルを備えることを特徴とする歯科器具。
【請求項８】
一般にＵ字形の基部を有し、前記一般にＵ字形のシェルに取り付けられる第２のシェルを更に備える請求項７に記載の歯科器具。
【請求項９】
前記ユーザの歯を収容する形状の、前記シェル内の複数のソケットを更に備える請求項７に記載の歯科器具。
【請求項１０】
前記ユーザの口腔に向かって前記基部から延伸する舌タブを更に備える請求項７に記載の歯科器具。
【請求項１１】
前記シェルに可撓性を与える前記シェル内の穴を更に備える請求項７に記載の歯科器具。
【請求項１２】
前記第１の材料は、矯正を必要とする歯に隣接する請求項７に記載の歯科器具。
【請求項１３】
前記第２の材料は、維持すべき歯に隣接する請求項７に記載の歯科器具。
【請求項１４】
ユーザの歯に隣接して装着される歯科器具であって、
外周部と内周部とを有する一般にＵ字形の第１シェルと、
外周部と内周部とを有する一般にＵ字形の第２シェルと、
前記第１シェルの外周上にある第１のくさび部と、
前記第１シェルに対する前記第２シェルの移動を防止するために、前記第１のくさび部に接触している、前記第２シェルの外周上にある第２のくさび部と、
を備えることを特徴とする歯科器具。
【請求項１５】
前記ユーザの少なくとも１本の歯を収容する形状の、前記第１シェル内にあるソケットを更に備える請求項１４に記載の歯科器具。
【請求項１６】
前記第１シェルの内周に沿って一体的に形成されるタブを更に備える請求項１４に記載の歯科器具。
【請求項１７】
前記ユーザの少なくとも２本の歯を収容する形状のソケットを更に備える請求項１４に記載の歯科器具。
【請求項１８】
前記第１シェルは、第１の材料から構成され、前記第２シェルは、第２の材料から構成され、前記第１の材料が前記第２の材料よりも柔らかい請求項１４に記載の歯科器具。
【請求項１９】
前記第１のくさび部は、前記第１シェルと一体的に形成される請求項１４に記載の歯科器具。
【請求項２０】
前記第１のくさび部は、前記第１シェルに取り付けられる請求項１４に記載の歯科器具。
【請求項２１】
ユーザの口腔内の歯に隣接して装着される歯科器具であって、
基部を有し、一般にＵ字形の上部シェルと、
基部を有し、一般にＵ字形の下部シェルと、
前記上部シェルに連結される第１の端部と、前記下部シェルに連結される第２の端部とを有し、該第１及び第２の端部間のある位置で折り曲げられるヒンジ部と、
を備えることを特徴とする歯科器具。
【請求項２２】
平坦である咬合面を有し、前記ユーザの歯の１本を収容する、前記上部シェル内のソケットを更に備える請求項２１に記載の歯科器具。
【請求項２３】
前記上部シェルは、複数の材料から構成され、該複数の材料の一つは、それ以外の材料よりも柔らかい請求項２１に記載の歯科器具。
【請求項２４】
頂部を有し、前記上部シェルと一体的に形成されるタブを更に備える請求項２１に記載の歯科器具。
【請求項２５】
前記ユーザの少なくとも１本の歯に接触し、前記上部シェルと一体的に形成される保護部を更に備える請求項２１に記載の歯科器具。
【請求項２６】
前記ユーザの少なくとも２本の歯を収容する形状の、前記上部シェル内にあるソケットを更に備える請求項２１に記載の歯科器具。
【請求項２７】
ユーザの口腔内の歯に隣接して装着される歯科器具であって、
一般にＵ字形の第１の基部と、
前記第１の基部に隣接する、一般にＵ字形の第２の基部と、
前記第１の基部内にある第１のマグネットと、
を備えることを特徴とする歯科器具。
【請求項２８】
前記第１のマグネットとの間に磁力が存在するように、前記第２の基部内にある第２のマグネットを更に備える請求項２７に記載の歯科器具。
【請求項２９】
前記ユーザの少なくとも２本の歯を収容する形状の、前記第１の基部内にあるソケットを更に備える請求項２７に記載の歯科器具。
【請求項３０】
前記第１の基部内にある複数の穴を更に備える請求項２７に記載の歯科器具。
【請求項３１】
前記第１の基部と一体的に形成され、前記ユーザの歯を覆う保護部を更に備える請求項２７に記載の歯科器具。
【請求項３２】
前記第１の基部は第１の材料から構成され、前記第２の基部は第２の材料から構成され、前記第１の材料が前記第２の材料よりも柔らかい請求項２７に記載の歯科器具。
【請求項３３】
前記ユーザの歯の１本に一致する形状を有し、前記第１の基部内にあるソケットを更に備える請求項２７に記載の歯科器具。
【請求項３４】
ユーザの口腔内の歯に隣接して装着される歯科器具であって、
外周部と内周部とを有する一般にＵ字形の第１シェルと、
外周部と内周部とを有する一般にＵ字形の第２シェルと、
前記第１シェル及び第２シェルに取り付けられる固定装置であって、前記第１シェルに取り付けられる雄部と、前記第２シェルに取り付けられる雌部とを有し、前記第１シェルを前記第２シェルに取り外し可能に取り付けるために該雄部及び雌部が係合する、前記固定装置と、
を備えることを特徴とする歯科器具。
【請求項３５】
前記ユーザの少なくとも１本の歯を収容する大きさの、前記第１シェル内にあるソケットを更に備える請求項３４に記載の歯科器具。
【請求項３６】
前記第１シェルは、第１の材料及び第２の材料から構成され、前記第１の材料は、前記第２の材料よりも柔らかい請求項３４に記載の歯科器具。
【請求項３７】
前記固定装置は留め金である請求項３４に記載の歯科器具。
【請求項３８】
前記ユーザの少なくとも１本の歯に接触し、前記第１シェルと一体的に形成される保護部を更に備える請求項３４に記載の歯科器具。
【請求項３９】
平坦な咬合面を有し、前記第１シェル内にあるソケットを更に備える請求項３４に記載の歯科器具。
【請求項４０】
ユーザの口腔内の歯に隣接して装着され、第１の端部と第２の端部で規定される長さを有する歯科器具であって、
前記ユーザの上歯を収容する上面を有する、一般にＵ字形の第１シェルと、
前記ユーザの下歯を収容する底面を有する、一般にＵ字形の第２シェルと、
前記第１シェル及び第２シェルを取り外し可能に取り付ける固定装置とを備え、
前記第１の端部における、前記上面と前記底面の間の第１の距離は、前記第２の端部における、前記上面と前記底面の間の第２の距離よりも大きいことを特徴とする歯科器具。
【請求項４１】
前記ユーザの少なくとも２本の歯を収容する大きさの、前記第１シェル内にあるソケットを更に備える請求項４０に記載の歯科器具。
【請求項４２】
前記固定装置が接着剤である請求項４０に記載の歯科器具。
【請求項４３】
前記口腔に向かって後方に延伸し、前記第１シェルと一体的に形成されるタブを更に備える請求項４０に記載の歯科器具。
【請求項４４】
前記第１シェルは、異なる剛性を有する複数の材料から構成される請求項４０に記載の歯科器具。
【請求項４５】
前記ユーザの１本の歯を収容する大きさの、前記第１シェル内にあるソケットを更に備える請求項４０に記載の歯科器具。
【請求項４６】
前歯と臼歯とを有するユーザによって装着される歯科器具であって、
一般にＵ字形の上部シェルと、
前記上部シェルに隣接する一般にＵ字形の下部シェルであって、前記上部シェル及び下部シェルが、前記前歯に接触する大きさであって、前記ユーザの少なくとも１本の臼歯に接触しない、前記下部シェルと、
前記上部シェル及び下部シェルを取り外し可能に取り付ける固定装置と、
を備えることを特徴とする歯科器具。
【請求項４７】
前記上部シェルに形成される雌部と、前記下部シェルに形成される雄部とを更に備える請求項４６に記載の歯科器具。
【請求項４８】
前記上部シェルは、矯正を必要とする歯に接触する領域ではより柔らかい請求項４６に記載の歯科器具。
【請求項４９】
前記上部シェル及び下部シェルに連結されるヒンジ部を更に備える請求項４６に記載の歯科器具。
【請求項５０】
前記上部シェルと一体的に形成され、前記歯を覆う保護部を更に備える請求項４６に記載の歯科器具。
【請求項５１】
前記固定装置は留め金である請求項４６に記載の歯科器具。
【請求項５２】
平坦な咬合面を有し、前記上部シェル内にあるソケットを更に備える請求項４６に記載の歯科器具。
【請求項５３】
上歯及び下歯を有するユーザの口腔内に装着される歯科器具であって、
前記上歯を収容する、一般にＵ字形の上部シェルと、
前記下歯を収容する、一般にＵ字形の下部シェルと、
前記上部シェルと前記下部シェルの間に位置し、前記上部シェル及び下部シェルを連結するとともに、前記上部シェルと下部シェルとの間に抵抗力を与える第１のバネと、
を備えることを特徴とする歯科器具。
【請求項５４】
前記ユーザの１本の上歯を収容する形状の、前記上部シェル内にあるソケットを更に備える請求項５３に記載の歯科器具。
【請求項５５】
前記第１のバネに連結される第２のバネを更に備える請求項５３に記載の歯科器具。
【請求項５６】
前記上部シェルと一体的に形成され、口腔内の後方に延伸しているタブを更に備える請求項５３に記載の歯科器具。
【請求項５７】
前記上部シェルは、第１の材料及び第２の材料から構成され、該第１の材料は、該第２の材料よりも柔らかい請求項５３に記載の歯科器具。
【請求項５８】
咬合異常を治療する方法であって、
ユーザの上歯の形状に基づいて、第１シェルを作るステップと、
ユーザの下歯の形状に基づいて、第２シェルを作るステップと、
前記第１シェル及び第２シェルを取り外し可能に固定するために連結する、第１の部材と第２の部材とを有する固定装置を、前記第１シェル及び第２シェルに取り付けるステップと、
を有することを特徴とする方法。
【請求項５９】
前記第１シェル及び第２シェル間の移動を防止するステップを更に有する請求項５８に記載の方法。
【請求項６０】
ユーザの上歯を収容するよう設計された上部シェルと、前記ユーザの下歯を収容するよう設計された下部シェルと、前記上部シェルを前記下部シェルに取り外し可能に取り付ける連結手段とを備えることを特徴とする歯科器具。
【請求項６１】
前記連結手段は、前記上部シェル及び下部シェルの両方に位置する連結可能な留め金を含む請求項６０に記載の歯科器具。
【請求項６２】
前記連結手段は、前記上部シェル及び下部シェルの両方に位置する連結可能なくさび部を含む請求項６０に記載の歯科器具。
【請求項６３】
前記くさび部は、前記歯科器具に一体的に形成される請求項６２に記載の歯科器具。
【請求項６４】
前記連結手段は、前記上部シェルに取り付けられる上頬くさび部と、前記下部シェルに取り付けられる下頬くさび部とを含む請求項６０に記載の歯科器具。
【請求項６５】
前記上部シェルは、上部ヒンジスロットを含み、前記下部シェルは、下部ヒンジスロットを含み、前記連結手段は、その一端が前記上部ヒンジスロットに挿入可能であり、その他端が前記下部ヒンジスロットに挿入可能なヒンジ部を備える請求項６０に記載の歯科器具。
【請求項６６】
前記ヒンジ部は、くさび嵌合によって、前記上部及び下部ヒンジスロットに保持される請求項６５に記載の歯科器具。
【請求項６７】
前記連結手段はマグネットを含む請求項６０に記載の歯科器具。
【請求項６８】
前記マグネットは、使用中それらが隣接されるように、前記上部及び下部シェル内に位置する請求項６７に記載の歯科器具。
【請求項６９】
前記連結手段は、ループファスナーを含む請求項６０に記載の歯科器具。
【請求項７０】
舌タブを更に備える請求項６０に記載の歯科器具。
【請求項７１】
前記舌タブは、前記下部シェルに取り付けられる請求項７０に記載の歯科器具。
【請求項７２】
唇保護部を更に備える請求項６０に記載の歯科器具。
【請求項７３】
前記唇保護部は、前記上部シェルに取り付けられる請求項７２に記載の歯科器具。
【請求項７４】
前記歯科器具は、プラスチック、ゴム、シリコーン、又はこれらの材料の混合物から構成される請求項６０に記載の歯科器具。
【請求項７５】
前記歯科器具は、ポリビニル塩化物、アクリル、又はこれらの材料の混合物から構成される請求項７３に記載の歯科器具。
【請求項７６】
前記歯科器具は、前記ユーザの第１及び／又は第２の永久大臼歯まで及ばない大きさである請求項６０に記載の歯科器具。
【請求項７７】
堅い材料の領域と、比較的柔らかい材料の領域とを含む請求項６０に記載の歯科器具。
【請求項７８】
前記下部シェル及び／又は上部シェルの前部に複数の穴を備える請求項６０に記載の歯科器具。
【請求項７９】
脱落性の生歯を持つユーザの、特に、オーバージェット又はオーバーバイトを含む咬合異常を治療する方法であって、
ユーザの上歯を収容するよう設計された上部シェルと、ユーザの下歯を収容するよう設計された下部シェルと、前記上部シェルを前記下部シェルに取り外し可能に取り付ける連結手段とを備える歯科器具をユーザに適合するステップを有することを特徴とする方法。
【請求項８０】
脱落性の生歯を持つユーザの、特に、オーバージェット又はオーバーバイトを含む咬合異常を治療する方法であって、
ユーザの口腔の物理的モデル又はデジタルモデルを作り出すステップと、
ユーザの上歯を収容するよう設計された上部シェルと、ユーザの下歯を収容するよう設計された下部シェルと、前記上部シェルを前記下部シェルに取り外し可能に取り付ける連結手段とを備える歯科器具を、前記物理的モデル又はデジタルモデルに基づいて作り出すステップと、
前記歯科器具を前記ユーザに適合し、咬合異常を矯正するまで適切な方法で前記歯科器具を装着するようユーザに要求するステップと、
を有することを特徴とする方法。
【請求項８１】
前記デジタルモデルは、前記ユーザの口腔のレーザスキャンから作られる請求項８０に記載の方法。
【請求項８２】
前記歯科器具は、真空成形、圧縮又は熱成形により、ステレオリソグラフィ、あるいは、これらの技術の組み合わせにより、手作業で作り出される請求項８０に記載の方法。
【発明の詳細な説明】
【技術分野】
【０００１】
本願は、２００２年５月３０日に出願された米国仮特許出願番号第６０／３８４，７４４号の優先権の利益を主張する。
【０００２】
本発明は、取り付け可能な上部及び下部を有する歯科器具、並びに咬合異常を治療するシステム及び方法に関する。より詳細には、本発明は、例えば、オーバージェットやオーバーバイトなどの咬合異常を治療するために取り付けられる、コンピュータで作られた上部シェル及び下部シェルを有する歯科器具に関する。
【背景技術】
【０００３】
患者に歯科治療を提供することが一般に知られている。典型的に、患者は、例えば、医療機関のオフィス（診療所）で歯科医や他の医療機関を訪問する。歯科医は、例えば、治療すべき部位へのＸ線照射や他の画像取得技術を含む種々の技術を用いて、患者を診察する。そして、歯科医は、患者の状態を治療する歯科器具を患者に提供する。例えば、ある患者は、所定期間患者の口腔内に設置される歯科器具を必要とするオーバーバイト（過蓋咬合）を有する。患者を治療する歯科医は、患者の口腔内部の画像を取得してもよい。
【０００４】
その画像は、患者の上歯及び下歯をそれぞれ収容する上部シェル及び下部シェルのサイズや形状を決定するために用いられ得る。上部シェル及び下部シェルは、歯科状態を治療するためにユーザの口腔内に装着される。しかしながら、上部シェル及び下部シェルは接続されておらず、結果として、前後及びオーバージェットの矯正に対して絶対不可欠な相互接続を欠いている。
【０００５】
そのため、咬合異常を治療するために、上部シェル及び下部シェルを取り付け得る、歯科器具、並びに咬合異常を治療するシステム及び方法の要求が存在する。
【発明の開示】
【０００６】
本発明の第１の面によれば、ユーザの上歯を収容するよう設計された上部シェルと、ユーザの下歯を収容するよう設計された下部シェルと、前記上部シェルを前記下部シェルに取り外し可能に取り付ける連結手段とを備える歯科器具が提供される。
【０００７】
連結手段は、連結可能な留め金、連結可能なくさび部、ヒンジ部、マグネット、ループファスナー、あるいはこれらの複合物を備えている。
【０００８】
連結手段がくさび部を備える場合、これらは歯科器具に一体的に形成されるのが有利である。より詳細には、連結部は、上部シェルに取り付けられる上頬くさび部と、下部シェルに取り付けられる下頬くさび部とを備えている。
【０００９】
連結部がヒンジ部を備える場合、上部シェルは上部ヒンジスロットを備えるとともに、下部シェルは下部ヒンジスロットを備え、ヒンジ部の一端が上部ヒンジスロットに挿入可能であり、ヒンジ部の他端が下部ヒンジスロットに挿入可能である。ヒンジ部は、くさび嵌合によって、上部及び下部ヒンジスロットに保持されるのが有利である。
【００１０】
連結手段がマグネットを備える場合、これらは、使用中隣接するように、上部及び下部シェル内に位置されるのが有利である。
【００１１】
本発明における歯科器具は、舌タブを備えるのが有利であり、それらは、好ましくは、下部シェルに取り付けられる。
【００１２】
更に有利な実施形態では、歯科器具は、唇保護部を更に備え、これは、好ましくは、上部シェルに取り付けられる。
【００１３】
本発明における歯科器具は、プラスチック、ゴム、シリコーン、又はこれらの材料の混合物から構成されてもよい。特に、この歯科器具は、ポリビニル塩化物、アクリル、又はこれらの材料の混合物から構成されてもよい。特に有利に、本発明の歯科器具は、堅い材料の領域と、比較的柔らかい材料の領域とを備えている。
【００１４】
有利に、本発明の歯科器具は、ユーザの第１及び／又は第２の永久大臼歯に及ばない大きさである。
【００１５】
更に有利な実施形態では、この歯科器具は、下部及び／又は上部シェルの前部に複数の穴を備える。
【００１６】
本発明の第２の面によれば、脱落性生歯を持つユーザの、特に、オーバージェット又はオーバーバイトの不正咬合を治療する方法が提供される。その方法は、ユーザの上歯を収容するよう設計された上部シェルと、ユーザの下歯を収容するよう設計された下部シェルと、前記上部シェルを前記下部シェルに取り外し可能に取り付ける連結手段とを備える歯科器具をユーザに適合するステップを有する。
【００１７】
本発明の第３の面によれば、脱落性生歯を持つユーザの、特に、オーバージェット又はオーバーバイトの不正咬合を治療する方法が提供される。その方法は、ユーザの口腔の物理的モデル又はデジタルモデルを作り出すステップと、ユーザの上歯を収容するよう設計された上部シェルと、ユーザの下歯を収容するよう設計された下部シェルと、前記上部シェルを前記下部シェルに取り外し可能に取り付ける連結手段とを備える歯科器具を、前記物理的モデル又はデジタルモデルに基づいて作り出すステップと、前記歯科器具を前記ユーザに適合し、咬合異常を矯正するまで適切な方法で前記歯科器具を装着するようユーザに要求するステップとを有する。
【００１８】
デジタルモデルは、前記ユーザの口腔のレーザスキャンから作られてもよい。さらに、歯科器具は、真空成形、圧縮又は熱成形により、ステレオリソグラフィ、あるいは、これらの技術の組み合わせによって手作業で作り出されてもよい。
【００１９】
上記目的を達成するために、本発明の一実施形態では、ユーザの口腔内に隣接して装着される歯科器具が提供される。歯科器具は、ユーザの歯の幅よりも大きい幅を有し、周辺部を有する第１の基部を備える一般にＵ字形の上部シェルであって、該第１の基部が前記上部シェルの前記周辺部に沿って延伸する壁と、前記第１の基部から延伸する雄部とを更に有する、前記上部シェルを備える。また、歯科器具は、ユーザの歯の幅よりも大きい幅を有し、周辺部を有する第２の基部を備える一般にＵ字形の下部シェルであって、該第２の基部が前記下部シェルの前記周辺部に沿って延伸する壁を有し、前記下部シェルが、前記雄部を収容する大きさの雌部を有し、前記雄部と前記雌部が前記上部シェルに対して前記下部シェルを着脱可能に固定するよう連結される、前記下部シェルを備える。
【００２０】
一実施形態では、前記歯科器具は、前記ユーザの個々の歯に相関して形成される、前記上部シェル内の複数のソケットを更に備える。
【００２１】
一実施形態では、前記歯科器具は、前記歯科器具の周辺部から延伸する舌タブを更に備える。
【００２２】
一実施形態では、前記歯科器具は、前記ユーザの少なくとも２本の歯を収容する大きさの、前記第１の着部内のソケットを更に備える。
【００２３】
一実施形態では、前記歯科器具は、前記壁内に複数の穴を更に備える。
【００２４】
一実施形態では、前記歯科器具は、前記上部シェルの周辺部に沿って一体的に形成される保護部を更に備える。
【００２５】
本発明の別の実施形態では、ユーザの口腔内の歯に隣接して装着される歯科器具が提供される。この歯科器具は、基部を有する一般にＵ字形のシェルであって、該シェルの第１の領域が第１の材料から構成され、該シェルの第２の領域が第２の材料から構成され、前記第１の材料が前記第２の材料よりも軟らかい、前記シェルを備える。
【００２６】
一実施形態では、前記歯科器具は、一般にＵ字形の基部を有し、前記一般にＵ字形のシェルに取り付けられる第２のシェルを更に備える。
【００２７】
一実施形態では、前記歯科器具は、前記ユーザの歯を収容する形状の、前記シェル内の複数のソケットを更に備える。
【００２８】
一実施形態では、前記歯科器具は、前記ユーザの口に向かって延伸するよう、前記基部から延伸する舌タブを更に備える。
【００２９】
一実施形態では、前記歯科器具は、前記シェルに可撓性を与える前記シェル内の穴を更に備える。
【００３０】
一実施形態では、前記第１の材料は、矯正を必要とする歯に隣接する。
【００３１】
一実施形態では、前記第２の材料は、維持すべき歯に隣接する。
【００３２】
本発明の別の実施形態では、ユーザの口腔内の歯に隣接して装着される歯科器具が提供される。この歯科器具は、外周部と内周部とを有する一般にＵ字形の第１シェルと、外周部と内周部とを有する一般にＵ字形の第２シェルとを有する。また、前記歯科器具は、前記第１シェルの外周上にある第１のくさび部と、前記第１シェルに対する前記第２シェルの移動を防止するために、前記第１のくさび部に接触している、前記第２シェルの外周上にある第２のくさび部とを更に有する。
【００３３】
一実施形態では、前記歯科器具は、前記ユーザの少なくとも１本の歯を収容する形状の、前記第１シェル内にあるソケットを更に備える。
【００３４】
一実施形態では、前記歯科器具は、前記第１シェルの内周に沿って一体的に形成されるタブを更に備える。
【００３５】
一実施形態では、前記歯科器具は、前記ユーザの少なくとも２本の歯を収容する形状のソケットを更に備える。
【００３６】
一実施形態では、前記第１シェルは、第１の材料から構成され、前記第２シェルは、第２の材料から構成され、前記第１の材料が前記第２の材料よりも柔らかい。
【００３７】
一実施形態では、前記第１のくさび部は、前記第１シェルと一体的に形成される。
【００３８】
一実施形態では、前記第１のくさび部は、前記第１シェルに取り付けられる。
【００３９】
本発明の別の実施形態では、ユーザの口腔内の歯に隣接して装着される歯科器具が提供される。前記歯科器具は、基部を有し、一般にＵ字形の上部シェルと、基部を有し、一般にＵ字形の下部シェルとを備える。また、前記歯科器具は、前記上部シェルに連結される第１の端部と、前記下部シェルに連結される第２の端部とを有し、該第１及び第２の端部間のある位置で折り曲げられるヒンジ部を備える。
【００４０】
一実施形態では、前記歯科器具は、平坦である咬合面を有し、前記ユーザの歯の１本を収容する前記上部シェル内のソケットを更に備える。
【００４１】
一実施形態では、前記上部シェルは、複数の材料から構成され、該複数の材料の一つは、それ以外の材料よりも柔らかい。
【００４２】
一実施形態では、前記歯科器具は、頂部を有し、前記上部シェルと一体的に形成されるタブを更に備える。
【００４３】
一実施形態では、前記歯科器具は、前記ユーザの１本以上の歯に接触し、前記上部シェルと一体的に形成される保護部を更に備える。
【００４４】
一実施形態では、前記歯科器具は、前記ユーザの少なくとも２本の歯を収容する形状の、前記上部シェル内にあるソケットを更に備える。
【００４５】
本発明の別の実施形態では、ユーザの口腔内の歯に隣接して装着される歯科器具が提供される。前記歯科器具は、一般にＵ字形の第１の基部と、前記第１の基部に隣接する、一般にＵ字形の第２の基部と、前記第１の基部内になる第１のマグネットとを備える。
【００４６】
一実施形態では、前記歯科器具は、前記第１のマグネットとの間に磁力が存在するように、前記第２の基部内にある第２のマグネットを更に備える。
【００４７】
一実施形態では、前記歯科器具は、前記ユーザの少なくとも２本の歯を収容する形状の、前記第１の基部内にあるソケットを更に備える。
【００４８】
一実施形態では、前記歯科器具は、前記第１の基部内にある複数の穴を更に備える。
【００４９】
一実施形態では、前記歯科器具は、前記第１の基部と一体的に形成され、前記ユーザの歯を覆う保護部を更に備える。
【００５０】
一実施形態では、前記第１の基部は第１の材料から構成され、前記第２の基部は第２の材料から構成され、前記第１の材料が前記第２の材料よりも柔らかい。
【００５１】
一実施形態では、前記歯科器具は、前記ユーザの歯の１本に一致する形状を有し、前記第１の基部内にあるソケットを更に備える。
【００５２】
本発明の別の実施形態では、ユーザの口腔内の歯に隣接して装着される歯科器具が提供される。前記歯科器具は、外周部と内周部とを有する一般にＵ字形の第１シェルと、外周部と内周部とを有する一般にＵ字形の第２シェルとを備える。また、前記歯科器具は、前記第１シェル及び第２シェルに取り付けられる固定装置であって、前記第１シェルに取り付けられる雄部と、前記第２シェルに取り付けられる雌部とを有し、前記第１シェルを前記第２シェルに取り外し可能に取り付けるために該雄部及び雌部が係合する、前記固定装置を備える。
【００５３】
一実施形態では、前記歯科器具は、前記ユーザの少なくとも１本の歯を収容する大きさの、前記第１シェル内にあるソケットを更に備える。
【００５４】
一実施形態では、前記第１シェルは、第１の材料及び第２の材料から構成され、前記第１の材料は、前記第２の材料よりも柔らかい。
【００５５】
一実施形態では、前記固定装置は留め金である。
【００５６】
一実施形態では、前記歯科器具は、前記ユーザの少なくとも１本の歯に接触し、前記第１シェルと一体的に形成される保護部を更に備える。
【００５７】
一実施形態では、前記歯科器具は、平坦な咬合面を有し、前記第１シェル内にあるソケットを更に備える。
【００５８】
本発明の別の実施形態では、ユーザの口腔内の歯に隣接して装着され、第１の端部と第２の端部で規定される長さを有する歯科器具が提供される。前記歯科器具は、前記ユーザの上歯を収容する上面を有する、一般にＵ字形の第１シェルと、前記ユーザの下歯を収容する底面を有する、一般にＵ字形の第２シェルと、前記第１シェル及び第２シェルを取り外し可能に取り付ける固定装置とを備える。そして、前記第１の端部における、前記上面と前記底面の間の第１の距離は、前記第２の端部における、前記上面と前記底面の間の第２の距離よりも大きい。
【００５９】
一実施形態では、前記歯科器具は、前記ユーザの少なくとも２本の歯を収容する大きさの、前記第１シェル内にあるソケットを更に備える。
【００６０】
一実施形態では、前記固定装置が接着剤である。
【００６１】
一実施形態では、前記歯科器具は、前記口腔に向かって後方に延伸し、前記第１シェルと一体的に形成されるタブを更に備える。
【００６２】
一実施形態では、前記第１シェルは、異なる剛性を有する複数の材料から構成される。
【００６３】
一実施形態では、前記歯科器具は、前記ユーザの１本の歯を収容する大きさの、前記第１シェル内にあるソケットを更に備える。
【００６４】
本発明の別の実施形態では、前歯と臼歯とを有するユーザによって装着される歯科器具が提供される。前記歯科器具は、一般にＵ字形の上部シェルと、前記上部シェルに隣接する一般にＵ字形の下部シェルであって、前記上部シェル及び下部シェルが、前記前歯に接触する大きさであって、前記ユーザの少なくとも１本の臼歯に接触しない、前記下部シェルとを備える。さらに、前記歯科器具は、前記上部シェル及び下部シェルを取り外し可能に取り付ける固定装置を備える。
【００６５】
一実施形態では、前記歯科器具は、前記上部シェルに形成される雌部と、前記下部シェルに形成される雄部とを更に備える。
【００６６】
一実施形態では、前記上部シェルは、矯正を必要とする歯に接触する領域ではより柔らかい。
【００６７】
一実施形態では、前記歯科器具は、前記上部シェル及び下部シェルに連結されるヒンジを更に備える。
【００６８】
一実施形態では、前記歯科器具は、前記上部シェルと一体的に形成され、前記歯を覆う保護部を更に備える。
【００６９】
一実施形態では、前記固定装置は留め金である。
【００７０】
一実施形態では、前記歯科器具は、平坦な咬合面を有し、前記上部シェル内にあるソケットを更に備える。
【００７１】
本発明の別の実施形態では、上歯及び下歯を有するユーザの口腔内に装着される歯科器具が提供される。前記歯科器具は、前記上歯を収容する、一般にＵ字形の上部シェルと、前記下歯を収容する、一般にＵ字形の下部シェルとを備える。さらに、前記歯科器具は、前記上部シェルと前記下部シェルの間に位置し、前記上部シェル及び下部シェルを連結するとともに、前記上部シェルと下部シェルとの間に抵抗力を与える第１のバネを備える。
【００７２】
一実施形態では、前記歯科器具は、前記ユーザの１本の上歯を収容する形状の、前記上部シェル内にあるソケットを更に備える。
【００７３】
一実施形態では、前記歯科器具は、前記第１のバネに連結される第２のバネを更に備える。
【００７４】
一実施形態では、前記歯科器具は、前記上部シェルと一体的に形成され、口腔内の後方に延伸しているタブを更に備える。
【００７５】
一実施形態では、前記上部シェルは、第１の材料及び第２の材料から構成され、該第１の材料は、該第２の材料よりも柔らかい。
【００７６】
本発明の別の実施形態では、咬合異常を治療する方法が提供される。前記方法は、ユーザの上歯の形状に基づいて、第１シェルを作るステップと、
ユーザの下歯の形状に基づいて、第２シェルを作るステップと、
前記第１シェル及び第２シェルを取り外し可能に固定するために連結する、第１の部材と第２の部材とを有する固定装置を、前記第１シェル及び第２シェルに取り付けるステップとを有している。
【００７７】
一実施形態では、前記方法は、前記第１シェル及び第２シェル間の移動を防止するステップを更に有する。
【００７８】
したがって、本発明の利点は、前後及びオーバージェットの矯正を提供するために、上部シェル及び下部シェル間の絶対不可欠な相互接続を提供する、不正咬合を治療する歯科器具、システム及び方法を提供することである。
【００７９】
本発明のもう一つの利点は、オーバーバイトを治療するために、上部シェル及び下部シェル間の絶対不可欠な相互接続を提供する、不正咬合を治療する歯科器具、システム及び方法を提供することである。
【００８０】
本発明の更に別の利点は、口腔の第２のセクションで歯の状態を維持しながら、ユーザの口腔の第１のセクションで不正咬合を治療することができる、不正咬合を治療する歯科器具、システム及び方法を提供することである。
【００８１】
本発明のさらなる利点は、歯科専門家（専門医）と患者との交流の度合いを減らす、不正咬合を治療する歯科器具、システム及び方法を提供することである。
【００８２】
さらに、本発明の利点は、一つの歯科器具が患者の歯の状態を治療するために用いられ得る、不正咬合を治療する歯科器具、システム及び方法を提供することである。
【００８３】
本発明のさらなる利点は、患者の歯科治療の全費用を下げる、不正咬合を治療する歯科器具、システム及び方法を提供することである。
【００８４】
本発明の追加の特徴及び利点は、最適実施形態の詳細な説明に記載され、この好適実施形態及び図面から明らかになるであろう。
【発明を実施するための最良の形態】
【００８５】
本発明は、咬合異常を治療する歯科器具、並びにシステム及び方法に関する。歯科器具は、ユーザの上歯を収容する上部シェルを有する。また、歯科器具は、ユーザの下歯を収容する下部シェルを有する。上部シェル及び下部シェルは、コンピュータ処理により製作され、種々の固定装置によって取り付けられる。上部シェルと下部シェルを取り付けることによって得られる歯科器具は、例えば、オーバージェットやオーバーバイトなどの不正咬合を治療することができる。また、上部シェル及び下部シェルは、ユーザの口腔の第２の位置で歯の状態を維持しつつ、口腔の第１の位置で不正咬合を治療するよう設計される。
【００８６】
同様のパーツに同様の符号を付した図面を参照すると、図１は、本発明の一実施形態における上部シェル１０及び下部シェル１２を示している。上部シェル１０及び／又は下部シェル１２は、コンピュータ処理により製作される。この目的を達成するために、モデルのレーザスキャニング、デジタル写真などの技術が、患者又はユーザに施される。上部シェル１０及び／又は下部シェル１２は、吸引（真空）や熱圧着装置によって手作業で作られてもよい。別の実施形態では、上部シェル１０及び下部シェル１２は、ステレオリソグラフィまたは他の関連技術によって作られる。
【００８７】
そして、上部シェル１０及び下部シェル１２は、歯科器具を作るために取り付けられる。上部シェル１０及び下部シェル１２は、例えば、プラスチック、ゴム、ポリビニル塩化物、アクリル、シリコーンなどから構成される。上部シェル１０は、基部３を有する。さらに、上部シェル１０は、ユーザの個々の上歯を収容する、基部３内に形成された複数のソケットを有する。同様に、下部シェル１２は、基部５を有し、ユーザの個々の下歯を収容する、基部５内に形成された複数のソケットを有する。
【００８８】
図２は、下部シェル１２に隣接して位置する上部シェル１０を示し、そこでは、上部シェル１０の基部３は、下部シェル１２の基部５に接触している。上部シェル１０は、接着剤や、例えば、留め金、ホックとループのファスナーなどの他の固定手段により、下部シェル１２に取り付けられる。
【００８９】
図３Ａ及び図３Ｂは、上部シェル１０を下部シェル１２に固定するための異なる固定方法を示す。特に、図３Ａは、上部シェル１０を下部シェル１２に取り付けるための留め金（スナップ）１４ａ、１４ｂ及び１４ｃの使用を示す。スナップ１４ａは、例えば、可撓性の材料から構成され、上部シェル１０及び下部シェル１２のそれぞれに取り付けられる。留め金１４ｂ及び１４ｃは、例えば、プラスチックその他の材料から構成される。留め金１４ｂ及び１４ｃは、留め金１４ｂ及び１４ｃを上部シェル１０及び下部シェル１２に固定するために、上部シェル１０及び下部シェル１２内に挿入され得る複数のロッド（棒）１６を有する。
【００９０】
図３Ｂは、上部シェル１０を下部シェル１２に取り付けるためのくさび部１８ａ及び１８ｂを示す。くさび部１８ａ及び１８ｂは、例えば、歯科器具と同様の材料から構成され、歯科器具の不可欠な（一体的な）部分として歯科器具とともに形成されてもよく、あるいは、例えば、木、金属又はプラスチックなどの他の材料から構成されてもよい。さらに、くさび部１８ａ及び１８ｂは、例えば、留め金、フックとループのファスナーなどによって、上部シェル１０又は下部シェル１２に取り付けられてもよい。くさび部１８ａ及び１８ｂは、ユーザの口腔内に装着されている上部シェル１０及び下部シェル１２に対して、上部シェル１０及び下部シェル１２の左側及び右側に取り付けられてもよい。特に、くさび部１８ａは、上部シェル１０に取り付けられるが、下部シェル１２には取り付けられない上部頬くさび部であってもよい。くさび部１８ａの大部分は、前方位置に下顎を保持するために、くさび部１８ｂの後部と接触している。くさび部１８ｂは、下部シェル１２に取り付けられる下部頬くさび部であってもよい。くさび部１８ｂの大部分は、くさび部１８ａに接触している。くさび部１８ａ、１８ｂの使用により、ユーザは、下顎をクラスIの前後顎位置に進め、下顎がこの位置に成長するよう促進させる。
【００９１】
図４Ａ〜図４Ｃは、歯科器具の上部シェル１０及び下部シェル１２を隣接する種々の方法を示す。図４Ａにおいて、ヒンジ部２０は、上部シェル１０内のスロット２２ａと下部シェル１２内のスロット２２ｂとに挿入される。ヒンジ部２０は、例えば、金属、プラスチック、ゴムなどから構成される。ヒンジ部２０は、スロット２２ａ及び２２ｂに挿入され、例えば、連結可能な雄部ファスナー及び雌部ファスナー（図示せず）などの方法によって固定される。
【００９２】
図４Ｂは、留め金２４を有する上部シェル１０を示す。下部シェル１２もまた、留め金２６を有する。留め金２４は、上部シェル１０を下部シェル１２に固定するために、留め金２６と連結するよう設計される。留め金２４、２６は、例えば、金属、プラスチックなどから構成される。
【００９３】
図４Ｃは、咬合面に沿って、くさび部２８が上部シェル１０の基部３と一体的に形成される実施形態を示す。くさび部３０は、下部シェル１２の基部５と一体的に形成される。くさび部２８及び３０は、上部シェル１０あるいは下部シェル１２がユーザの口腔内に装着されたままの状態でずれることを防止する。別の実施形態では、くさび部２８は、基部３に取り付けられ、また、くさび部３０は、基部５に取り付けられる。くさび部２８、３０は、例えば、接着剤、留め金、フックとループのファスナーなどによって取り付けられる。
【００９４】
図５において、上部シェル１０は、下部シェル１２に蝶番式（ヒンジ式）に連結される。特に、基部３の後部３２は、基部５の後部３４に連結される。上部シェル１０及び下部シェル１２は、図５に一般的に示すように、後部３２及び後部３４から直角に延伸する。スペース（空間）３６は、上部シェル１０と下部シェル１２の間に画定される。
【００９５】
図６Ａは、上部シェル１０及び下部シェル１２の頬側あるいは唇側に挿入され、そこに固定されるヒンジ部３８を示す。ヒンジ部３８は、摩擦、接着剤又は他の同様の方法により固定される。図６Ｂに示すように、下部シェル１２は、基部５から延伸する舌タブ４０を有する。舌タブ４０は、基部５と一体的に形成されてもよい。別の実施形態では、舌タブ４０は、基部５に取り付けられる。
【００９６】
図７Ａ及び図７Ｂは、マグネット４２が上部シェル１０の基部３及び下部シェル１２の基部５内に埋め込まれている一実施形態を示す。マグネット４２は、基部３及び基部５内に収まる大きさである。一実施形態では、マグネット４２は、基部３及び／又は基部５に取り付けられる。図７Ｂに示すように、上部シェル１０及び下部シェル１２は、互いに隣接して位置し、マグネット４２は、互いに近接している。基部３のマグネット４２と基部５のマグネット４２との間の吸引力は、上部シェル１０を下部シェル１２に取り外し可能に固定する。マグネット４２は、上部シェル１０及び下部シェル１２内に位置し、第１のマグネットは、上部シェル１０内に位置し、第２のマグネットは、下部シェル１２内に位置する。第１のマグネット及び第２のマグネットは、反発力を作り出すように配置されてもよい。その反発力により、下部シェル１２は、上部シェル１０との関係で前方に進む。
【００９７】
図８Ａ及び図８Ｂは、上部シェル１０が前部４６から延伸する唇保護部４４を有する一実施形態を示す。唇保護部４４は、一体的に形成されてもよい。一実施形態では、唇保護部４４は、上部シェル１０に取り付けられる。唇保護部４４は、口が開いているときに、上部シェル１０及び下部シェル１２がユーザの口腔内に更に後方に滑るのを防止する。また、唇保護部４４は、上顎の前方への成長を制限する、上顎への遠心力を誘発してもよい。
【００９８】
図９において、上部シェル１０及び下部シェル１２の上部斜視図が示される。下部シェル１２は、基部３から延伸する舌タブ４６を有する。舌タブ４６は、基部３と一体的に形成される。一実施形態では、舌タブ４６は、例えば、接着剤、留め金又は他の同様の固定方法によって基部３に取り付けられる。舌タブ４６は、下顎が上顎との関係で後方に滑るのを防止する。
【００９９】
上部シェル１０及び下部シェル１２は、一つ以上の材料から構成されてもよい。材料の種類は、特定の不正咬合を治療するために選択される。例えば、図１０Ａ及び図１０Ｂでは、上部シェル１０は、後部（後方セクション）４８では堅い材料から構成される。上部シェル１０の前部（前方セクション）５０は、より柔らかい材料から構成される。例えば、後方の歯よりも矯正を必要とする歯の上前部を持っているユーザを治療するために、この設計（デザイン）が用いられる。そして、上後部の歯は、上前部の歯を矯正している間、所定の位置に置かれる。この種の不正咬合を治療する公知の方法は、多くの歯科器具を必要としていた。しかしながら、本発明の歯科器具は、その状態を治療するために、一つあるいは２，３の歯科器具のみを必要とする。さらに、本発明の歯科器具は、ユーザが、ほとんどないか、たとえあったとしても、わずかの調整や面会で、歯列矯正を治療することを可能にする。
【０１００】
一実施形態では、上歯と下歯の両方が矯正を必要としている。図１０Ｂに示すように、下部シェル１２は、後部５２において堅い材料から構成され、前部５４ではより柔らかい材料から構成される。ユーザが極端なオーバージェットである場合、上部シェル１０及び下部シェル１２は、前述及び後述の固定装置のいずれかによって取り付けられてもよい。
【０１０１】
図１１Ａ及び図１１Ｂは、上部シェル１０及び下部シェル１２のサイズ及び形状のバリエーションを示す。すなわち、図１１Ａでは、上部シェル１０の基部３及び下部シェル１２の基部５は、スペース５４が前部５６において上部シェル１０のソケット６から下部シェル１２のソケット８へ延びている大きさである。第２のスペース５８は、後部６０においてソケット６からソケット８へ延びている。スペース５４は、スペース５８よりも大きい。そのデザインは、極度のオーバーバイトを治療するために用いられる。一実施形態では、スペース５８がスペース５４よりも大きい。そして、結果として生じる歯科器具は、前部開咬を治療するために用いられる。上部シェル１０及び下部シェル１２は、前部５６においてより柔らかい材料から構成される。結果として、前歯は、抑制力を受けるが、奥歯に対する力は発生しない。その後、奥歯は萠出する。
【０１０２】
図１１Ｂは、上部シェル１０及び下部シェル１２がユーザの口腔内に装着されているとき、この上部シェル１０及び下部シェル１２がユーザの第１及び／又は第２の永久大臼歯に及ばない長さを有する一実施形態を示す。結果として、大臼歯は、過剰萠出し、オーバーバイトを矯正するために、患者の咬合を開状態にしてしまう。
【０１０３】
図１１Ｃは、上部シェル１０及び／又は下部シェル１２が、前部において、例えば、可撓性材料から構成される一実施形態を示す。上部シェル１０及び下部シェル１２の後部６４は、堅い材料から構成される。ユーザは、上部シェル１０及び下部シェル１２を装着している間、上部切歯及び下部切歯あるいは前歯に対して軽い垂直の抑制力を受ける。その抑制力は、ユーザがオーバーバイトの状態を矯正するのを可能にする。
【０１０４】
図１２Ａ及び１２Ｂにおいて、上部シェル１０及び／又は下部シェル１２は、前部６８において複数の穴６６を有する。図１２Ｂは、前部６８の部分的な側部断面図を提供する。穴６６は、例えば、オーバーバイトを治療するのに有用な前部６８に、弾力のある「感触」を提供することができる。ソケット６、８は、ユーザの切歯のために提供される。唇保護部７０は、上部シェル１０上に提供される。さらに、舌タブ７２は、下部シェル１２の基部５に提供される。
【０１０５】
図１２Ｃは、上部シェル１０と下部シェル１２の間にバネ機構７４が位置する一実施形態を示す。バネ機構７４は、上部シェル１０に取り付けられる基部７８に取り付けられるバネ７６を備える。また、バネ７６は、下部シェル１２に取り付けられる基部８０に取り付けられている。図１２Ｄは、基部７８と基部８０との間に位置する基部８４を有するバネ機構８２を示す。バネ８６は、基部８４を基部７８及び基部８０に連結するために提供される。図１２Ｃに示す実施形態は、ユーザの上歯及び下歯に対して軽い垂直な力を与えることにより、オーバーバイトを治療するために用いられる。
【０１０６】
図１３Ａ及び図１３Ｂにおいて、オーバージェットやオーバーバイトを有するユーザを治療するための上部シェル１０及び下部シェル１２の上部切歯８８及び下部切歯９０の咬合位置の断面が提供される。図１３Ｂに示すように、上部シェル１０のソケット６と下部シェル１２のソケット８は、特定の配列を有している。結果として、上部シェル１０及び下部シェル１２が装着されているとき、上部切歯８８及び下部切歯９０は整列される。そして、ユーザは、例えば、オーバーバイト又はオーバージェットなどの不正咬合を矯正するために、上部シェル１０及び下部シェル１２を装着する。
【０１０７】
全体的に、本発明の実施形態は、上顎との関係で、下顎を前に移動させるべき患者によって用いられる。また、本発明の実施形態は、より前方に向かって起こる成長を促進する。さらに、初期の過度なオーバージェット及びクラスIIの不正咬合は、上部シェル１０及び下部シェル１２の予め形成されたより柔らかい部分により前方の領域を矯正している間、口腔内に上述の実施形態の歯科器具を装着している患者によって、矯正され得る。
【０１０８】
一実施形態では、上部シェル１０及び下部シェル１２は、ユーザの奥歯が萠出するのを防止するために、前部５４よりも後部５２の材料で取り付けられてもよい。さらに、上部シェル１０及び下部シェル１２は、開咬を矯正するために、前歯が萠出するのを促進する。一実施形態では、ユーザの下顎が上顎に対して後方の位置に保持される、上部シェル１０及び下部シェル１２が取り付けられてもよい。そして、上部シェル１０及び下部シェル１２は、クラスIIIの状態を治療するために、装着されてもよい。
【０１０９】
現在好適な実施形態に種々の変更や改良を加えることは当業者にとって明白であることを理解されたい。このような変更や修正は、本発明の精神と範囲から逸脱することなく、また、本発明の効果を減少させることなくなされるであろう。
【図面の簡単な説明】
【０１１０】
【図１】図１Ａは、本発明の一実施形態における上部歯科器具の上部斜視図を示し、図１Ｂは、本発明の一実施形態における下部歯科器具の上部斜視図を示す。
【図２】本発明の一実施形態における歯科器具の上部斜視図を示す。
【図３】図３Ａは、本発明の一実施形態における歯科器具の側面図を示し、図３Ｂは、本発明の一実施形態における歯科器具の側面図を示す。
【図４】図４Ａは、本発明の一実施形態における歯科器具の側面図を示し、図４Ｂは、本発明の一実施形態における歯科器具の側面図を示し、図４Ｃは、本発明の一実施形態における歯科器具の側面図を示す。
【図５】本発明の一実施形態における歯科器具の上部斜視図を示す。
【図６】図６Ａは、本発明の一実施形態における歯科器具の側面図を示し、図６Ｂは、本発明の一実施形態における歯科器具の上部斜視図を示す。
【図７】図７Ａは、本発明の一実施形態における歯科器具の分解組立図を示し、図７Ｂは、本発明の一実施形態における歯科器具の側面図を示す。
【図８】図８Ａは、本発明の一実施形態における歯科器具の正面図を示し、図８Ｂは、本発明の一実施形態における歯科器具の側面図を示す。
【図９】本発明の一実施形態における歯科器具の上部斜視図を示す。
【図１０】図１０Ａは、本発明の一実施形態における歯科器具の上部斜視図を示し、図１０Ｂは、本発明の一実施形態における歯科器具の平面図を示す。
【図１１】図１１Ａは、本発明のもう一つの実施形態における歯科器具の側面図を示し、図１１Ｂは、本発明のもう一つの実施形態における歯科器具の側面図を示し、図１１Ｃは、本発明のもう一つの実施形態における歯科器具の側面図を示す。
【図１２】図１２Ａは、本発明の一実施形態における歯科器具の正面図を示し、図１２Ｂは、本発明の一実施形態における歯科器具の部分的な側断面図を示し、図１２Ｃは、本発明の一実施形態における歯科器具の側面図を示し、図１２Ｄは、本発明の一実施形態における歯科器具の側面図を示す。
【図１３】図１３Ａは、個人の一組の切歯の咬合位置の断面図を示し、図１３Ｂは、本発明の一実施形態における歯科器具の側断面図を示す。
2005527321.tif 000003
【図２】
2005527321.tif 000004
【図５】
2005527321.tif 000005
2005527321.tif 000006
2005527321.tif 000007
2005527321.tif 000008
2005527321.tif 000009
2005527321.tif 000010
【図９】
2005527321.tif 000011
2005527321.tif 000012
2005527321.tif 000013
2005527321.tif 000014
2005527321.tif 000015
【国際調査報告】
2005527321.tif 000016
2005527321.tif 000017